(57)【要約】      （修正有）【課題】全体の形状を小型化すると共に、ルーペ部を容易に引き出すことができ、自動点灯／消灯を実現して使い勝手を向上できるＬＥＤライト付きルーペを提供する。【解決手段】ルーペ部３が形成されたルーペ本体をケース１から引き出すと、ルーペ本体に設けられたＬＥＤライト４が点灯し、ルーペ本体をケース１に収納するとＬＥＤライト４が消灯する構成で、ルーペ本体の引出部２ａを、ルーペ部３の厚みより厚みがあって引出方向に突出させた形状が外側端部に形成されたものとしているので、引出部２ａを引っ張ることでルーペ部３を引き出し易い構造にしたことを特徴とする。【選択図】図４
0003186269.tif 000002
【実用新案登録請求の範囲】
【請求項１】
ＬＥＤライトを有するＬＥＤライト付きルーペであって、
前記ＬＥＤライトの電源となる電池と、
前記ＬＥＤライトへの電源供給を制御するスイッチと、
ルーペ部を備えるルーペ本体と、
前記ルーペ部を引き出し可能に収納するケースとを有し、
前記ルーペ本体は、前記ルーペ部が引き出される端部に、前記ルーペ部の厚みより厚みがあって引出方向に突出させた引出部が形成されると共に、前記ルーペ部を保持し、前記ＬＥＤライトと前記電池が搭載される保持部が形成され、
前記ケースの引出口の一部に前記ＬＥＤライトが引き出されて現われる窓部が形成され、
前記スイッチは、前記ルーペ部が前記ケースから引き出されて前記ＬＥＤライトが前記窓部に現われたときにオンして、前記ＬＥＤライトを点灯させることを特徴とするＬＥＤライト付きルーペ。
【請求項２】
引出部とルーペ部との間に、貫通孔を形成したことを特徴とする請求項１記載のＬＥＤライト付きルーペ。
【請求項３】
貫通孔を引出口沿って帯状に形成したことを特徴とする請求項２記載のＬＥＤライト付きルーペ。
【請求項４】
保持部に二段階で係止するストッパーを備え、一段階目はルーペ本体がケースに奥まで収納された状態で係止し、二段階目はＬＥＤライトが窓部に現われた状態で係止することを特徴とする請求項１乃至３のいずれか記載のＬＥＤライト付きルーペ。
【考案の詳細な説明】
【技術分野】
【０００１】
本考案は、ＬＥＤ（Light Emitting Diode）ライトを備えたルーペに係り、特に、ルーペを引き出し易い構造にして引き出すとＬＥＤライトが自動で点灯するＬＥＤライト付きルーペに関する。
【背景技術】
【０００２】
［先行技術の説明］
従来のＬＥＤライト付きルーペには、以下の関連する先行技術がある。
［関連技術］
関連する先行技術としては、特開２００１−１５９７３７号「照明灯付きルーペ」（大日向和弘）［特許文献１］、実用新案登録第３１１７３９７号公報「折り畳み式ルーペ付きキーホルダ」（興栄工業株式会社）［特許文献２］、実用新案登録第３１７３３７１号公報「ルーペ」（株式会社トヤマ）［特許文献３］、実開平１０−１９７号公報「ルーペ」（九州日立マクセル株式会社）［特許文献４］、実公昭６３−６７２６号公報「照明つきルーペ」（冨士電気化学株式会社）［特許文献５］がある。
【０００３】
特許文献１には、照明灯付きルーペにおいて、スイッチをオンにすると、ルーペの下側に取り付けられたライトを点灯することが記載されている。
特許文献２には、折畳み式ルーペ付きキーホルダにおいて、収納室からルーペが引き出されると、スイッチがオンとなって発光ダイオードを点灯してルーペに光を照射することが記載されている。
【０００４】
特許文献３には、ルーペにおいて、レンズ部を開放位置に位置決めするよう回動させると、ＬＥＤ発光素子がレンズ部に照明光を発光させ、レンズ部を収納位置に回動させて位置決めすると、ＬＥＤ発光素子は消灯することが記載されている。
【０００５】
特許文献４には、ルーペにおいて、本体ケースからフルネルレンズが引き出されると、発光素子が点灯して横長窓部から光が照射され、本体ケースにフルネルレンズを収納すると、発光素子が消灯することが記載されている。
【０００６】
特許文献５には、照明つきルーペにおいて、拡大半透鏡を備える主筐体と、電球と電池とを備える副筐体とがヒンジで接続され、ヒンジが閉じた状態でスイッチがオフして電球が消灯し、ヒンジが開いた状態でスイッチがオンして電球が点灯することが記載されている。
【先行技術文献】
【特許文献】
【０００７】
【特許文献１】特開２００１−１５９７３７号公報
【特許文献２】実用新案登録第３１１７３９７号公報
【特許文献３】実用新案登録第３１７３３７１号公報
【特許文献４】実開平１０−１９７号公報
【特許文献５】実公昭６３−６７２６号公報
【考案の概要】
【考案が解決しようとする課題】
【０００８】
しかしながら、従来のライト付きルーペでは、ルーペ部を引き出すと自動で点灯し、ルーペ部を収納すると自動で消灯することが記載されているが、構造が複雑で、製品が小型化できないという問題点があった。
【０００９】
更に、従来のライト付きルーペの形状を小型化しようとすると、ルーペ部を引き出す構成が小さくなってルーペ部を容易に引き出すことが難しくなるという問題点があった。
【００１０】
尚、特許文献１〜５には、全体の形状を小型化しても、ルーペ部分を容易に引き出すことができる構成については記載されていない。
【００１１】
本考案は上記実状に鑑みて為されたもので、全体の形状を小型化すると共に、ルーペ部を容易に引き出すことができ、自動点灯／消灯を実現して使い勝手を向上できるＬＥＤライト付きルーペを提供することを目的とする。
【課題を解決するための手段】
【００１２】
上記従来例の問題点を解決するための本考案は、ＬＥＤライトを有するＬＥＤライト付きルーペであって、ＬＥＤライトの電源となる電池と、ＬＥＤライトへの電源供給を制御するスイッチと、ルーペ部を備えるルーペ本体と、ルーペ部を引き出し可能に収納するケースとを有し、ルーペ本体は、ルーペ部が引き出される端部に、ルーペ部の厚みより厚みがあって引出方向に突出させた引出部が形成されると共に、ルーペ部を保持し、ＬＥＤライトと電池が搭載される保持部が形成され、ケースの引出口の一部にＬＥＤライトが引き出されて現われる窓部が形成され、スイッチは、ルーペ部がケースから引き出されてＬＥＤライトが窓部に現われたときにオンして、ＬＥＤライトを点灯させることを特徴とする。
【００１３】
本考案は、上記ＬＥＤライト付きルーペにおいて、引出部とルーペ部との間に、貫通孔を形成したことを特徴とする。
【００１４】
本考案は、上記ＬＥＤライト付きルーペにおいて、貫通孔を引出口沿って帯状に形成したことを特徴とする。
【００１５】
本考案は、上記ＬＥＤライト付きルーペにおいて、保持部に三段階で係止するストッパーを備え、一段階目はルーペ本体がケースに奥まで収納された状態で係止し、二段階目はＬＥＤライトが窓部に現われた状態で係止することを特徴とする。
尚、一段階目と二段階目との間でも無段階で調整は可能である。
【考案の効果】
【００１６】
本考案によれば、ルーペ本体には、ルーペ部が引き出される端部に、ルーペ部の厚みより厚みがあって引出方向に突出させた引出部が形成されると共に、ルーペ部を保持し、ＬＥＤライトと電池が搭載される保持部が形成され、ケースの引出口の一部にＬＥＤライトが引き出されて現われる窓部が形成され、スイッチは、ルーペ部がケースから引き出されてＬＥＤライトが窓部に現われたときにオンして、ＬＥＤライトを点灯させるＬＥＤライト付きルーペとしているので、全体の形状を小型化すると共に、ルーペ部を容易に引き出すことができ、自動点灯／消灯を実現して使い勝手を向上させることができる効果がある。
【図面の簡単な説明】
【００１７】
【図１】（ａ）が本ルーペの側面図で、（ｂ）がその正面図である。
【図２】（ａ）がルーペ本体の引き出された側面図で、（ｂ）がその正面図である。
【図３】本ルーペの背面図である。
【図４】ルーペ本体が引き出された背面図である。
【図５】ルーペ本体が収納された状態の内部構成を示す概略図である。
【図６】ルーペ本体が引き出された状態の内部構成を示す概略図である。
【図７】引出・収納のストッパー構造を示す断面説明図である。
【考案を実施するための形態】
【００１８】
本考案の実施の形態について図面を参照しながら説明する。
［実施の形態の概要］
本考案の実施の形態に係るＬＥＤライト付きルーペは、ルーペ部が形成されたルーペ本体をケースから引き出すと、ルーペ本体に設けられたＬＥＤライトが点灯し、ルーペ本体をケースに収納するとＬＥＤライトが消灯する構成で、ルーペ本体の引出部をルーペ部の厚みより厚みがあって引出方向に突出させて、引き出し易い構造にしたものであり、全体の形状を小型化すると共に、ルーペ部を容易に引き出すことができ、自動点灯／消灯を実現して使い勝手を向上させることができるものである。
【００１９】
［本ルーペの側面と正面：図１、図２］
本考案の実施の形態に係るＬＥＤライト付きルーペ（本ルーペ）について図１と図２を参照しながら説明する。図１は、（ａ）が本ルーペの側面図で、（ｂ）がその正面図である。また、図２は、（ａ）がルーペ本体の引き出された側面図で、（ｂ）がその正面図である。
【００２０】
本ルーペは、図１、図２に示すように、ケース１と、ルーペレンズのルーペ部３を有するルーペ本体２とから構成されている。
図１（ａ）（ｂ）に示すように、ルーペの未使用時は、ケース１にルーペ部３が収納され、ルーペ本体２の引出部２ａがケース１の引出口に突出した構造となる。
尚、図１（ｂ）に示すように、本ルーペは、収納された状態で平行四辺形の形状となっている。
また、図２（ａ）（ｂ）に示すように、ルーペの使用時は、ルーペ本体２の引出部２ａを保持して引っ張り、ルーペ部３を引き出す。
ケース１は、例えば、厚さ７ｍｍ程度の薄型ボディとしている。
【００２１】
ルーペ本体２は、平行四辺形のフレネルレンズのルーペ部３を備え、その周囲を保持する保持部２ｂが形成され、特に引き出される側が引出部２ａとなっている。
フルネルレンズは、例えば、２．８倍のものを使用している。
引出部２ａは、ルーペ部３及び保持部２ｂより厚み厚く、幅も広い形状が外側端部に形成されている。特に、図１に示すように、引出部２ａの外側端部の厚みは、ケース１の外側の厚みと同じであり、幅もケース１の外側の幅と同じにしている。これにより、ケース１に引出部２ａが一体化した形状となる。
また、引出部２ａの内側には引出口に沿って貫通孔２ａ´が帯状に形成されている。この貫通孔２ａ´には、ストラップを通すことができ、当該ストラップを引っ張ることでルーペ部３を引き出すことも可能である。この引出部２の内側の貫通孔２ａ´によって、引出部２ａの外側端部をつかみ易いものとなる。
【００２２】
また、保持部２ｂにおいて、引出部２ａとは反対側（ケース１の奥側）には、電池とＬＥＤライトが搭載されている。保持部２ｂの電池等の搭載状態についての詳細は後述する。
【００２３】
［本ルーペの裏面（背面）：図３、図４］
次に、本ルーペの裏面（背面）について図３と図４を参照しながら説明する。図３は、本ルーペの背面図であり、図４は、ルーペ本体が引き出された背面図である。
図３に示すように、ケース１の背面には、引出口とは反対側に電池着脱蓋１ａが形成され、引出口にはＬＥＤライトが現われる窓部１ｂが形成されている。
【００２４】
電池着脱蓋１ａは、中央にマトリックス状に複数の凸状のドットが形成されており、その部分を指で押さえてスライドさせることで、開閉できる。
電池着脱蓋１ａを開くと、２個のボタン電池が現われ、交換可能となる。
また、窓部１ｂは、引出口の端部を切り欠いたもので、ＬＥＤライトが現われる程度の大きさになっている。
【００２５】
また、ルーペ本体２を引き出してＬＥＤライト４を窓部１ｂに設定した状態が図４に示したとおりである。
保持部２ｂの電池等が搭載された部分には、ストッパーが形成されている。当該ストッパーによってルーペ本体２は、二段階で係止するようになっており、一段階目はルーペ本体２がケース１に奥まで収納された状態で係止し、二段階目はＬＥＤライト４が窓部１ｂに現われた状態で係止するようになっている。ストッパーの構成については後述する。
【００２６】
［本ルーペの内部構造：図５、図６］
次に、本ルーペの内部構造について図５と図６を参照しながら説明する。図５は、ルーペ本体が収納された状態の内部構成を示す概略図であり、図６は、ルーペ本体が引き出された状態の内部構成を示す概略図である。
図５に示すように、ケース１の背面の内側には、長方形の金属板６が取り付けられている。
また、ルーペ本体２の保持部２ｂのＬＥＤライト４が搭載されている部分には、電池５ａ，５ｂが搭載されるようになっている。
【００２７】
電池５ａ，５ｂは、一方がプラス（＋）が表側となり、他方がマイナス（−）が表側になるよう設置する。そして、裏側の電極が配線によりＬＥＤライトに接続している。
また、保持部２ｂの電池等が搭載される側にストッパー７が形成されている。図５、図６ではストッパー７は２箇所設けられている。
【００２８】
そして、図６に示すように、ルーペ本体２がケース１から引き出されてＬＥＤライト４が窓部１ｂに現われた状態になると、電池５ａと電池５ｂの表側の電極を金属板６が接続する。この金属板６を介しての電極の接続により、ＬＥＤライト４のスイッチがオンとなり、ＬＥＤライト４が点灯する。
電池５ａ，５ｂが金属板６の位置まで引き上げられなければ、スイッチがオンとなることはなく、オフ状態を維持することになる。従って、図５、図６においてスイッチは、金属板６とケース１内をスライドして移動する電池５ａ，５ｂということになる。
【００２９】
［引出・収納のストッパー構造：図７］
ストッパー構造について図７を参照しながら説明する。図７は、引出・収納のストッパー構造を示す断面説明図である。尚、説明を分かり易くするために、いくつかの構成を省略し、寸法等も実際とは異なっている。
図７に示すように、ルーペ本体２の保持部２ｂにおいてＬＥＤライト４が搭載される側の背面側にストッパー７の突起部（凸部）７ａが形成されており、ケース１側にはその突起部７ａに対応した凹部７ｂ，７ｃが形成されている。
【００３０】
突起部７ａが凹部７ｂに嵌った状態が、ルーペ本体２がケース１に奥まで収納された一段階目の係止した状態である。
更に、ルーペ部３が引き出されて、突起部７ａが凹部７ｃに嵌った状態が、ＬＥＤライト４が窓部１ｂに現われた二段階目の係止した状態である。
尚、一段階目と二段階目との間でも、突起部７ａがケース１の内面に接触して抵抗感を有するようになるので、無段階でルーペ部３を係止できることになる。
また、ストッパー７の構成をケース１の背面側に設けたが、正面側であってもよい。
【００３１】
［実施の形態の効果］
本ルーペによれば、ルーペ部３が形成されたルーペ本体２をケース１から引き出すと、ルーペ本体２に設けられたＬＥＤライト４が点灯し、ルーペ本体２をケース１に収納するとＬＥＤライト４が消灯する構成で、ルーペ本体２の引出部２ａを、ルーペ部３の厚みより厚みがあって引出方向に突出させた形状が外側端部に形成されたものとしているので、引出部２ａを引っ張ることでルーペ部３を引き出し易い構造にしたものであり、全体の形状を小型化すると共に、ルーペ部３を容易に引き出すことができ、自動点灯／消灯を実現して使い勝手を向上させることができる効果がある。
【００３２】
また、本ルーペによれば、引出部２ａのルーペ部３が設けられた内側に引出口に沿って帯状の貫通孔２ａ´を形成したものであり、当該貫通孔２ａ´にストラップ等を取り付けることができ、更に容易にルーペ部３をケース１から引き出し易くできるという効果がある。
【産業上の利用可能性】
【００３３】
本考案は、全体の形状を小型化すると共に、ルーペ部を容易に引き出すことができ、自動点灯／消灯を実現して使い勝手を向上できるＬＥＤライト付きルーペに適している。
【符号の説明】
【００３４】
１...ケース、  １ａ...電池着脱蓋、  １ｂ...窓部、  ２...ルーペ本体、  ２ａ...引出部、  ２ａ´...貫通孔、  ２ｂ...保持部、  ３...ルーペ部、  ４...ＬＥＤライト、  ５ａ，５ｂ...電池、  ６...金属板、  ７...ストッパー、  ７ａ...突起部（凸部）、  ７ｂ，７ｃ...凹部
【図１】
0003186269.tif 000003
【図２】
0003186269.tif 000004
【図３】
0003186269.tif 000005
【図４】
0003186269.tif 000006
【図５】
0003186269.tif 000007
【図６】
0003186269.tif 000008
【図７】
0003186269.tif 000009